(57)【特許請求の範囲】
【請求項１】
建築物の基礎床上に支持脚を介して床材が敷設され、前記基礎床と前記床材との間に空間部が形成された二重床の支持構造であって、
前記床材は、少なくとも下地パネルと該下地パネル上に敷設される床パネルとを有し、
前記下地パネルの厚さ方向に貫通穴が形成され、該貫通穴に、内周に雌ネジを設けた筒状枠体が装着されており、
前記支持脚は、前記筒状枠体の内周の雌ネジに螺合する雄ネジが外周に形成され、上面に天壁が設けられ、下面が開口された筒状ケースと、この筒状ケースの内部に挿入されて前記下面の開口から所定長さで突出するゴム材料からなる弾性脚体とを有しており、
前記弾性脚体には、上端面から下端面に至るように貫通路が形成されており、前記筒状ケースの天壁には、工具が嵌合可能な嵌合溝と、前記貫通路に連通する注入孔とが形成されており、前記注入孔から前記貫通路を通して、前記弾性脚体の下端面と前記基礎床との間に接着剤を注入できるように構成されており、
前記弾性脚体の外周に、同弾性脚体の軸方向全長に亘り伸び同弾性脚体と一体形成された薄肉板状のフィンが、周方向に沿って所定間隔をあけて放射状に形成されており、前記弾性脚体が、前記フィンを介して、前記筒状ケースに圧入されて取付けられ、前記フィンは前記筒状ケースの下面の開口から突出することを特徴とする二重床の支持構造。
【請求項２】
前記筒状枠体は、前記下地パネルの貫通穴内に挿入される挿入部と、該挿入部の一端外周から延設され、前記下地パネルの貫通穴の裏側周縁に係合するフランジ部とからなる請求項１記載の二重床の支持構造。
【発明の詳細な説明】
【技術分野】
【０００１】
本発明は、建築物の基礎床上に支持脚を介して床材が敷設され、前記基礎床と前記床材との間に空間部を設けた二重床の支持構造に関する。
【背景技術】
【０００２】
近年、例えば、集合住宅やオフィスビル、体育館等の建築物においては、コンクリートスラブ等の基礎床に、支持脚を介して床材を敷設して、基礎床と床材との間に空間部を設けた、いわゆる二重床構造が利用されている。この二重床構造は、基礎床と床材との間に設けた空間部によって、耐衝撃性や、遮音性、断熱性等を向上させるという利点がある。
【０００３】
ところで、集合住宅等においては、二重床を構成する古い床材を剥がして、新しい床材を貼り代えてリフォームすることがある。その場合には、部屋の空間を広く確保するために、コンクリートスラブ等の基礎床と床材との隙間をなるべく小さくした、低床構造が求められている。
【０００４】
このような低床構造に対応した二重床構造として、例えば、下記特許文献１には、略円錐台形状をなした防振ゴムと、該防止ゴムに垂直に支持された支持ボルトと、下地パネルに取付られる支持プレートとからなる支持脚を有する、二重床構造が記載されている。前記支持プレートは、下地パネルの切欠部に挿入されるカップ状の凸部と、その周囲から広がるフランジ部とからなり、カップ状の凸部の裏側に、防振ゴムの上部が収納されるようになっている。
【０００５】
また、下記特許文献２には、支持脚体を有する二重床における支持構造であって、支持脚体が、床板基材の貫通孔に挿入され雌ねじ孔を有する円筒金具と、雄ねじを外周に形成した肉厚の盤状体をなす嵌込金具と、その下端に設けた鍔状部に嵌着され、下方に向けて拡大した形状をなすゴム製の弾性支持盤とからなる、床支持構造が記載されている。
【先行技術文献】
【特許文献】
【０００６】
【特許文献１】特開２０１２−１９１５号公報
【特許文献２】特開２００２−１７４０２１号公報
【発明の概要】
【発明が解決しようとする課題】
【０００７】
ところで、建築物をリフォームする場合には、コンクリートスラブ等の基礎床と、床材との隙間を小さくしたり或いは大きくしたり、必要に応じて調整したい場合がある。
【０００８】
しかしながら、上記特許文献１の二重床構造では、支持プレートのカップ状凸部が、下地パネルの切欠部に挿入され、同カップ状凸部の裏側に、防振ゴムの上部が入り込む構造となっているので、防振ゴムを取り換えたい場合は、敷設された下地パネルを取外して裏返しにした後、防振ゴムの支持ボルトをカップ状凸部の雌ねじ部から取外さなければならず、煩雑で面倒であった。
【０００９】
また、二重床の場合、基礎床と床材との間に配置された、ゴム製の部材によって、二重床の衝撃吸収力が付与されている。
【００１０】
しかしながら、特許文献２の床支持構造では、嵌込金具が肉厚の盤状体をなすと共に、その下端に設けた鍔状部に、ゴム製の弾性支持盤が嵌着された構造をなしており、鍔状部の分だけ全体高さが大きいので、二重床の更なる低床化を図るべく、床基盤と床板基材との隙間を小さくしようとした場合、弾性支持盤の高さを確保しにくく、十分な衝撃吸収力が得られないことがあった。
【００１１】
したがって、本発明の目的は、下地パネルに支持脚を取付けしやすく、支持脚の交換も簡単にできると共に、支持脚による衝撃吸収力を十分に確保することができる、二重床の支持構造を提供することにある。
【課題を解決するための手段】
【００１２】
上記目的を達成するため、本発明は、建築物の基礎床上に支持脚を介して床材が敷設され、前記基礎床と前記床材との間に空間部が形成された二重床の支持構造であって、前記床材は、少なくとも下地パネルと該下地パネル上に敷設される床パネルとを有し、前記下地パネルの厚さ方向に貫通穴が形成され、該貫通穴に、内周に雌ネジを設けた筒状枠体が装着されており、前記支持脚は、前記筒状枠体の内周の雌ネジに螺合する雄ネジが外周に形成され、上面に天壁が設けられ、下面が開口された筒状ケースと、この筒状ケースの内部に挿入されて前記下面の開口から所定長さで突出する弾性脚体とを有していることを特徴とする。
【００１３】
上記発明によれば、下地パネルの貫通穴に筒状枠体を装着しておき、この筒状枠体に支持脚の筒状ケースを螺挿して、支持脚を下地パネルに取付け、支持脚の筒状ケースを回転させて、筒状枠体に対してネジ移動させることにより、支持脚の弾性脚体が基礎床上に着地するように調整することにより、支持脚及び筒状枠体を介して、下地パネルを基礎床に対して適切な高さで支持することができる。
【００１４】
そして、基礎床の上面と下地パネルの下面との隙間が小さい低床式二重床であっても、弾性脚体の上部を筒状ケースに挿入することにより、弾性脚体の軸方向長さを長くとることができるため、充分な衝撃吸収力を付与することができる。
【００１５】
また、支持脚は、筒状ケース内に弾性脚体を挿入して、筒状ケースの下面の開口から弾性脚体を突出させた構造からなるので、下地パネルの前記筒状枠体に、上からでも下からでも支持脚を挿入して螺着させることができ、支持脚の下地パネルへの取付け作業性が向上する。
【００１６】
更に、二重床の施工後に、支持脚を交換したい場合であっても、筒状枠体の上方開口から支持脚を取外した後、筒状枠体の上方開口から新しい支持脚を挿入して螺着することで、支持脚を交換することができる。
【００１７】
また、基礎床の上面と下地パネルの下面との隙間に、筒状枠体の雌ネジと筒状ケースの雄ネジとの螺合度の調整だけでは適応できない場合は、筒状ケースから弾性脚体を引き抜いて、弾性脚体だけを取り替えることにより、様々な高さの床にも適用することができる。
【００１８】
本発明に係る二重床の支持構造においては、前記弾性脚体は、柱状のゴム材料からなり、前記弾性脚体として、前記ゴム材料の硬度及び／又は長さが異なる複数種類のものが用意されていることが好ましい。
【００１９】
上記態様によれば、ゴム材料の硬度及び／又は長さが異なる複数種類の弾性脚体を用意しておくことにより、筒状枠体の雌ネジと筒状ケースの雄ネジとの螺合度の調整だけでは適応できない、基礎床の上面と下地パネルの下面との隙間にも、弾性脚体を交換するだけで対応でき、また、支持脚の適用箇所に応じて、弾性脚体の硬度を変更することが可能となる。
【００２０】
本発明に係る二重床の支持構造においては、前記弾性脚体には、上端面から下端面に至るように貫通路が形成されており、前記筒状ケースの天壁には、工具が嵌合可能な嵌合溝と、前記貫通路に連通する注入孔とが形成されており、前記注入孔から前記貫通路を通して、前記弾性脚体の下端面と前記基礎床との間に接着剤を注入できるように構成されていることが好ましい。
【００２１】
上記態様によれば、筒状ケースの天壁の嵌合溝に工具を嵌合させて、筒状ケースを容易に回転させることができると共に、天壁の注入孔から接着剤を注入することにより、貫通路を通して弾性脚体の下端面と基礎床との間に接着剤を注入して、弾性脚体の下端面を基礎床に固定することができる。
【００２２】
本発明に係る二重床の支持構造においては、前記弾性脚体の外周に、軸方向に伸びるフィン又はリブが、周方向に沿って所定間隔で形成されており、前記弾性脚体が、前記フィン又はリブを介して、前記筒状ケースに圧入されて取付けられていることが好ましい。
【００２３】
上記態様によれば、弾性脚体にフィン又はリブを設けたことにより、筒状ケースへの弾性脚体の圧入時に、フィン又はリブが筒状ケース内周に部分的に当接するため、摩擦抵抗を少なくすることができると共に、弾性脚体を回転させながら押し込むことで、摩擦抵抗をより少なくすることができ、弾性脚体をスムーズに圧入することができる。また、筒状ケースへ弾性脚体を圧入していくときに、フィンとフィンとの間、又は、リブとリブとの間から、筒状ケース内の空気が抜けるので、弾性脚体をスムーズに圧入することができる。更に、フィン又はリブが、筒状ケース内周に部分的に強固に圧接するので、弾性脚体を筒状ケースにしっかりと固定することができる。
【００２４】
本発明に係る二重床の支持構造においては、前記弾性脚体の外周面に、軸方向に伸びる凹溝が、周方向に沿って所定間隔で形成されており、前記弾性脚体が、前記筒状ケースに圧入されて取付けられていることが好ましい。
【００２５】
上記態様によれば、弾性脚体に凹溝を設けたことにより、筒状ケースへの弾性脚体の圧入時に、弾性脚体を縮径しやすくして、圧入作業を容易に行うことができる。
【００２６】
本発明に係る二重床の支持構造においては、前記筒状枠体の内周面と、前記筒状ケースの外周面とには、前記筒状ケースの回転角を調整することにより、互いに整合可能なキー溝が、前記筒状枠体及び前記筒状ケースの上端面から軸方向に沿って形成されており、前記キー溝にキーを挿入することによって、前記筒状ケースを回り止めできるように構成されていることが好ましい。
【００２７】
上記態様によれば、キー溝にキーを挿入することによって、筒状枠体に対して筒状ケースを回り止めし、支持脚の突出長さが変化しないようにすることができる。また、キーを抜くことによって、筒状ケースが回転可能となるので、取り外すこともできる。
【００２８】
本発明に係る二重床の支持構造においては、前記筒状枠体は、前記下地パネルの貫通穴内に挿入される挿入部と、該挿入部の一端外周から延設され、前記下地パネルの貫通穴の裏側周縁に係合するフランジ部とからなることが好ましい。
【００２９】
上記態様によれば、筒状枠体の挿入部を下地パネルの貫通孔内に下方から挿入することにより、筒状枠体を下地パネルに装着でき、下地パネルの荷重をフランジ部で受けることによって、支持脚を介して下地パネルにかかる荷重を確実に受けることができる。
【発明の効果】
【００３０】
本発明によれば、筒状枠体に筒状ケースを螺挿し、支持脚を下地パネルに取付け、筒状枠体に対して筒状ケースをネジ移動させて、支持脚の弾性脚体が基礎床上に着地させることで、下地パネルを基礎床に対して適切な高さで支持することができる。そして、低床式二重床であっても、弾性脚体の上部を筒状ケースに挿入することで、弾性脚体の軸方向長さを長くとることができるため、充分な衝撃吸収力を付与することができると共に、筒状枠体に、上からでも下からでも支持脚を螺着できるため、支持脚の下地パネルへの取付け作業性を向上させることができる。
【図面の簡単な説明】
【００３１】
【図１】本発明に係る二重床の支持構造の、第１実施形態を示す分解斜視図である。
【図２】同支持構造を構成する支持脚を示しており、（ａ）は正面図、（ｂ）は平面図、（ｃ）は断面図、（ｄ）は底面図である。
【図３】同支持構造の使用例を示しており、その第１工程の断面説明図である。
【図４】同支持構造の使用例を示しており、その第２工程の断面説明図である。
【図５】同支持構造の使用例を示しており、その第３工程の断面説明図である。
【図６】同支持構造において、基礎床と下地パネルの隙間を調整した状態を示す断面説明図である。
【図７】同支持構造において用いられる、下地パネルの敷設状態を示す説明図である。
【図８】同支持構造において、図７とは異なる下地パネルの敷設状態を示す説明図である。
【図９】本発明に係る二重床の支持構造の、第２実施形態を示す要部拡大斜視図である。
【図１０】本発明に係る二重床の支持構造の、第３実施形態を示しており、（ａ）はその要部拡大分解斜視図、（ｂ）は要部拡大斜視図である。
【図１１】本発明に係る二重床の支持構造の、第４実施形態を示す要部拡大斜視図である。
【図１２】本発明に係る二重床の支持構造の、第５実施形態を示す要部拡大斜視図である。
【図１３】本発明に係る二重床の支持構造の、第６実施形態を示す要部拡大斜視図である。
【図１４】本発明に係る二重床の支持構造の、第７実施形態を示しており、（ａ）はその要部拡大分解斜視図、（ｂ）は要部拡大斜視図である。
【図１５】本発明に係る二重床の支持構造の、第８実施形態を示す斜視図である。
【図１６】同支持構造において用いられる、下地パネルの拡大斜視図である。
【図１７】同支持構造の断面説明図である。
【発明を実施するための形態】
【００３２】
以下、図１〜８を参照して、本発明に係る二重床の支持構造の、第１実施形態について説明する。
【００３３】
図５及び図６に示すように、この二重床の支持構造は、集合住宅や、オフィスビル、体育館等の建築物の、コンクリートスラブ等の基礎床１上に、支持脚２０を介して床材５が敷設され、基礎床１と床材５との間に空間部３が形成された、いわゆる二重床を支持するためのものである。
【００３４】
この実施形態における前記床材５は、図５及び図６に示すように、パーティクルボード、配向性ストランドボード、ファイバーボード、せっこうボード（硬質せっこうボード、ガラス繊維不織布入りせっこう板など）、木質系セメント板（木毛セメント板、木片セメント板など）等からなる下地パネル６と、該下地パネル６の上に敷設される、合板、パーティクルボード、配向性ストランドボード、ファイバーボード、せっこうボード（硬質せっこうボード、ガラス繊維不織布入りせっこう板など）、木質系セメント板（木毛セメント板、木片セメント板など）等からなる床パネル７と、該床パネル７の上に敷設される、フローリング、畳、カーペット、絨毯、石、タイル、樹脂シート（長尺塩ビシート、ＣＦシートなど）等からなる仕上材８とから構成されている。
【００３５】
また、図７及び図８に示すように、下地パネル６は、長方形状や正方形状等の矩形状のものが用いられるが、特に限定はされない。
【００３６】
なお、図７に示す長方形状の下地パネル６の場合、その横幅Ｗは、６００〜２４５０ｍｍであることが好ましく、９１０〜１８２０ｍｍであることがより好ましい。また、下地パネル６の縦幅Ｈは、３００〜１２２０ｍｍであることが好ましく、４５０〜６００ｍｍであることがより好ましい。
【００３７】
一方、図８に示す正方形状の下地パネル６の場合、一辺の長さが、４５０〜１２２０ｍｍであることが好ましく、６００〜９１０ｍｍであることがより好ましい。
【００３８】
更に、図７及び図８に示す下地パネル６の厚さは、１５〜３５ｍｍであることが好ましく、１８〜２５ｍｍであることがより好ましい。
【００３９】
また、前記下地パネル６の所定箇所には、その厚さ方向に、円形状の貫通穴６ａが形成されている。
【００４０】
この実施形態においては、図７に示す長方形状の下地パネル６の場合は、その対向する長辺に沿って、所定間隔Ｃをあけて複数の貫通穴６ａが形成されている。なお、隣接する貫通穴６ａ，６ａとの間隔Ｃは、１５０〜９１０ｍｍであることが好ましく、３００〜６１５ｍｍであることがより好ましい。
【００４１】
一方、図８に示す正方形状の下地パネル６の場合には、パネルの４つ角部、各辺の中央、及び、パネル中央に、貫通穴６ａが形成されている。
【００４２】
なお、貫通穴６ａは、例えば、角穴であってもよく、また、貫通穴６ａの形成箇所や個数は、特に限定はされない。
【００４３】
また、この実施形態においては、図７及び図８に示すように、パネル材料の伸縮を考慮して、隣接する下地パネル６どうしを、所定隙間を空けて互い違いとなるように配置されている。なお、隣接する下地パネル６を、所定隙間を空けて整列して配置してもよく、下地パネル６の配置は特に限定されない。
【００４４】
図１及び図３に示すように、下地パネル６の貫通穴６ａには、内周に雌ネジ１３を設けた筒状枠体１０が装着されるようになっている。
【００４５】
図３を併せて参照すると、この実施形態の筒状枠体１０は、円形状の貫通穴６ａに挿入される円筒状の挿入部１１と、該挿入部１１の基端外周から外径方向に向けて環状に延設され、貫通穴６ａの裏側周縁に係合するフランジ部１２とからなる。また、挿入部１１の内周には、雌ネジ１３が形成されている。なお、この実施形態における挿入部１１は、下地パネル６の貫通穴６ａに圧入されるようになっている。
【００４６】
また、筒状枠体１０は、例えば、鉄系合金や、ステンレス等の金属材料や、ポリアミド系樹脂や、ポリアセタール等の合成樹脂、更には、各種の木材などから形成することができる。
【００４７】
また、図１に示すように、支持脚２０は、筒状ケース３０と、該筒状ケース３０の内部に挿入される弾性脚体４０とから構成されている。
【００４８】
図１及び図２に示すように、この実施形態の筒状ケース３０は、円筒状をなした周壁３１と、該周壁３１の上方開口に配置された天壁３３とからなり、上方が天壁３３で閉塞され、下方が開口した略キャップ状をなしている。また、前記周壁３１の外径は、前記筒状枠体１０の内径に適合する大きさとなっており、同周壁３１の外周には、筒状枠体１０の雌ネジ１３に螺合する雄ネジ３２が形成されている。
【００４９】
図１及び図２（ｂ）に示すように、天壁３３には、プラスドライバーやマイナスドライバー等の、工具の先端を嵌合させるための、嵌合溝３４が形成されている。この実施形態の嵌合溝３４は、十字形状をなしていると共に、天壁３３の厚さ方向に貫通した形状となっている（図２（ｂ），（ｃ）参照）。なお、嵌合溝３４は、マイナスドライバー用として、スリット状をなしていてもよく、特に限定はされない。
【００５０】
また、天壁３３の中央には、基礎床１との接着用の接着剤を注入するための、注入孔３５が形成されている。この注入孔３５は、弾性脚体４０の貫通路４１（図２（ｃ）参照）に連通している。
【００５１】
なお、上記筒状ケース３０は、鉄系合金や、ステンレス、アルミニウム合金、チタン合金、銅合金等の金属材料や、ポリアミド系樹脂や、ポリアセタール等の合成樹脂、更には、各種の木材などから形成することができる。
【００５２】
一方、弾性脚体４０は、弾性を有しており、前記筒状ケース３０の内部に挿入され、同筒状ケース３０の下面側の開口から所定長さで突出する構造をなしている。
【００５３】
この実施形態における弾性脚体４０は、例えば、天然ゴム、ウレタンゴム、シリコーンゴム、フッ素ゴム、アクリルゴム、ブタジエンゴム、ニトリルゴム、エチレン・プロピレンゴム、スチレン系エラストマー、ウレタン系エラストマー、オレフィン系エラストマー等の熱可塑性エラストマー等のゴム材料からなっている。なお、この弾性脚体としては、弾性を有するものであればよく、図９に示すようにコイルスプリング等であってもよい（これについては後述する）。
【００５４】
図１及び図２（ｃ）に示すように、この実施形態の弾性脚体４０は、下端から上端に至るまで一定外径Ｄで伸びる円柱状をなしており、その中心には、上端面から下端面に至るように貫通路４１が軸方向に沿って形成されている。
【００５５】
また、図２（ｄ）に示すように、弾性脚体４０の下端面には、前記貫通路４１の下端から放射状に伸びる、複数の溝部４３が貫通路４１に連通して形成されている。この実施形態では、４つの溝部４３からなる十字状をなしている。
【００５６】
そして、前記筒状ケース３０の天壁３３の注入孔３５から注入された接着剤Ｓは、貫通路４１を通って弾性脚体４０の下端に至り、更に溝部４３を流れて、弾性脚体４０の下端面と基礎床１との間に接着剤Ｓが注入されるようになっている（図５参照）。
【００５７】
なお、接着剤Ｓとしては、例えば、エポキシ系や、ウレタン系の接着剤を用いることができる。
【００５８】
また、この実施形態の弾性脚体４０の外径Ｄは、筒状ケース３０の周壁３１の内径よりも小さく、かつ、貫通穴６ａに装着される筒状枠体１０の内径よりも小さく形成されている。そのため、この弾性脚体４０は筒状ケース３０内に挿入可能とされており、更に、支持脚２０全体を、筒状枠体１０の上方開口又は下方開口から挿入可能となっている。
【００５９】
上記の、弾性脚体４０の外径Ｄは、１５〜７０ｍｍであることが好ましく、２５〜５０ｍｍであることがより好ましい。また、弾性脚体４０の軸方向に沿った長さＬ１（図２（ｃ）参照）は、１５〜７０ｍｍであることが好ましく、２５〜４０ｍｍであることがより好ましい。
【００６０】
更に、この弾性脚体４０は、筒状ケース３０の周壁３１内に挿入され、天壁３３に当接するまで押し込まれて、図２（ｃ）に示すように、筒状ケース３０の下面開口から所定長さＬ２で突出するようになっているが、この突出長さＬ２は、５〜５０ｍｍであることが好ましく、５〜２０ｍｍであることがより好ましい。
【００６１】
また、この実施形態のように、弾性脚体４０がゴム材料からなる場合には、同弾性脚体４０の硬度、ここでは、ＪＩＳ  Ｋ  ６２５３に従って測定した硬度（デュロメータタイプＡ）は、２０〜８５であることが好ましく、３０〜６５であることがより好ましい。
【００６２】
更に、弾性脚体４０としては、ゴム材料の硬度及び／又は長さが異なる複数種類のものが用意されていることが好ましい。
【００６３】
例えば、硬度違いの弾性脚体や、長さ違い弾性脚体を複数種用意したり、長さが長いが硬度は柔らかい弾性脚体や、長さが短いが硬度は硬い弾性脚体など、二重床の施工箇所や目的に応じて、種々の弾性脚体を用意することが好ましい。
【００６４】
また、弾性脚体の使用箇所の間違えを避けるために、弾性脚体の硬度によって、色を変えることも好ましい。
【００６５】
なお、この実施形態では、弾性脚体４０は、下端から上端に至るまで一定外径で伸びる円柱状をなしているが、例えば、角柱状等としてもよく、更には、弾性脚体の下端部側外周を、筒状枠体１０に挿入可能な範囲で拡径させたりしてもよく、筒状枠体１０内に挿入可能な形状や寸法であれば、特に限定はされない。
【００６６】
次に、上記構成からなる本発明に係る二重床の支持構造の、使用方法及び作用効果について説明する。
【００６７】
まず、図１に示すように、下地パネル６の貫通穴６ａの下方から、筒状枠体１０の挿入部１１を挿入し圧入させつつ、フランジ部１２を貫通穴６ａの裏側周縁に係合させるまで押し込んでいくことで、図３に示すように、貫通穴６ａに筒状枠体１０を装着させることができる。なお、挿入部１１を貫通穴６ａに圧入しない構造の場合には、接着剤やネジ等を介して、フランジ部１２を貫通穴６ａの裏側周縁に固定することで、貫通穴６ａに筒状枠体１０を装着することができる。
【００６８】
このように、この実施形態においては、筒状枠体１０の挿入部１１を、下地パネル６の貫通穴６ａ内に下方から挿入するだけの簡単な作業で、筒状枠体１０を貫通穴６ａに装着することができると共に、下地パネル６の荷重を、フランジ部１２で受けることによって、支持脚２０を介して下地パネル６にかかる荷重を確実に受けることができる。
【００６９】
そして、二重床の施工は、例えば、次のように行うことができる。
【００７０】
まず、図３に示すように、筒状枠体１０の上方開口から支持脚２０を挿入して、筒状枠体１０の雌ネジ１３に、筒状ケース３０の雄ネジ３２を螺着させて、下地パネル６に支持脚２０を取付けると共に、筒状枠体１０の下方開口から、支持脚２０の弾性脚体４０を所定長さ突出させておく（図４参照）。なお、筒状枠体１０の下方開口から、支持脚２０を螺着させるようにしてもよい。
【００７１】
その後、図７，８に示すように、二重床を敷設する部屋の基礎床１上に、支持脚２０を取付けた下地パネル６を、所定の配置で設置する。このとき、基礎床１表面の不陸等によって、支持脚２０が均等に接地しない場合や、下地パネル６の高さが適切でない場合には、筒状枠体１０の上方開口から、工具先端を挿入して、筒状ケース３０の嵌合溝３４に嵌合させ、筒状ケース３０を回転させて、筒状枠体１０に対して支持脚２０をネジ移動させることで、筒状枠体１０の下方開口からの弾性脚体４０の突出量を調整する。それによって、下地パネル６を適切な高さで支持させると共に、全ての支持脚２０の弾性脚体４０を均等に接地させることができる。
【００７２】
また、筒状枠体１０の下方開口からの弾性脚体４０の突出量を調整することにより、図５に示すように、下地パネル６を比較的低い位置や、図６に示すように、比較的高い位置など、所望の高さに支持することができ、部屋の天井の高さや、基礎床１と下地パネル６との間に必要とされる空間の高さに応じて、下地パネル６の支持高さを調整できる。
【００７３】
上記のように、基礎床１の上面と下地パネル６の下面との隙間を調整した後、支持脚２０を基礎床１上により確実に固定したい場合には、筒状ケース３０の天壁３３の注入孔３５から、接着剤Ｓを注入することができる。すると、接着剤Ｓが、貫通路４１を通って弾性脚体４０の下端に至り、更に溝部４３を流れて、弾性脚体４０の下端面と基礎床１との間に接着剤Ｓが注入されるので、弾性脚体４０の下端面を基礎床１に固定することができる（図５及び図６参照）。
【００７４】
以上のようにして、複数の下地パネル６を、図７や図８に示すように、所定隙間を空けて互い違いとなるように、基礎床１に敷設した後、図５及び図６に示すように、下地パネル６の上方に床パネル７を敷設して、図示しないくぎ等によって下地パネル６に固定し、同床パネル７によって複数の下地パネル６どうしを互いに連結させて一体化させる。更に、床パネル７の上方に仕上材８を敷設することで、基礎床１と床材５との間に空間部３を設けた状態で、基礎床１上に支持脚２０を介して床材５を敷設することができる。
【００７５】
そして、この支持構造においては、弾性脚体４０の上部が、筒状ケース３０内に挿入された構造となっているので、基礎床１の上面と下地パネル６の下面との隙間が小さい、いわゆる低床式二重床であっても、弾性脚体４０の軸方向長さを長くとることができ、充分な衝撃吸収力を付与することができる。
【００７６】
また、支持脚２０は、筒状ケース３０内に弾性脚体４０を挿入して、筒状ケース３０の下面の開口から弾性脚体４０を突出させた構造からなるので、下地パネル６の貫通穴６ａに装着された筒状枠体１０の上方開口又は下方開口のいずれからでも、支持脚２０を挿入して螺着させることができ、支持脚２０の下地パネル６への取付け作業性を向上させることができる。
【００７７】
更に、二重床の施工後に、支持脚２０を交換したい場合であっても、筒状枠体１０の上方開口から工具先端を挿入して、嵌合溝３４に嵌合させて筒状ケース３０を回転させて、筒状ケース３０の上方開口から支持脚２０を取外した後、筒状枠体１０の上方開口から新しい支持脚２０を挿入して螺着することで、支持脚２０を交換することができる。
【００７８】
また、筒状枠体１０の雌ネジ１３と筒状ケース３０の雄ネジ３２との螺合度の調整だけでは、基礎床１の上面と下地パネル６の下面との隙間に、支持脚２０の突出長さを適合できない場合は、筒状ケース３０から弾性脚体４０を引き抜いて、弾性脚体４０だけを取り替えることにより、様々な高さの床にも適用することができる。
【００７９】
更に、この実施形態においては、弾性脚体４０は、柱状のゴム材料からなり、該弾性脚体４０として、前記ゴム材料の硬度及び／又は長さが異なる複数種類のものが用意されている。このように、ゴム材料の硬度及び／又は長さが異なる複数種類の弾性脚体４０を用意しておくことにより、筒状枠体１０の雌ネジ１３と筒状ケース３０の雄ネジ３２との螺合度の調整だけでは適応できない、基礎床１の上面と下地パネル６の下面との隙間にも、弾性脚体４０を交換するだけで対応でき、また、支持脚２０の適用箇所に応じて、弾性脚体４０の硬度を変更することが可能となる。
【００８０】
図９には、本発明に係る二重床の支持構造の、第２実施形態が示されている。なお、前記実施形態と実質的に同一部分には同符号を付してその説明を省略する。
【００８１】
図９に示すように、この実施形態に係る二重床の支持構造では、弾性脚体４０ａが、コイルスプリングとなっており、その上部が筒状ケース３０内に挿入されて、支持脚２０が構成されている。
【００８２】
この構造においても、前記実施形態と同様の効果を得ることができる。
【００８３】
図１０には、本発明に係る二重床の支持構造の、第３実施形態が示されている。なお、前記実施形態と実質的に同一部分には同符号を付してその説明を省略する。
【００８４】
図１０（ａ）に示すように、この実施形態においては、筒状枠体１０の挿入部１１の内周面に、上端面から軸方向に沿って下端面に至るキー溝１１ａが形成されている。一方、筒状ケース３０の周壁３１の外周面には、上端面から軸方向に沿って下端面に至るキー溝３１ａが、筒状ケース３０の周方向に沿って均等な間隔で複数（ここでは８個）形成されている（図１０（ａ）参照）。なお、筒状ケース３０側のキー溝３１ａは８個に限定されるものではない。
【００８５】
そして、筒状枠体１０に対して筒状ケース３０の回転角を調整することにより、筒状枠体１０のキー溝１１ａに対して、筒状ケース３０の所定のキー溝３１ａが互いに整合するようになっており、これらのキー溝１１ａ，３１ａに、キー５０が挿入されることによって、筒状枠体１０に対して筒状ケース３０を所定角度で回り止めできるように構成されている（図１０（ｂ）参照）。
【００８６】
この実施形態においては、筒状枠体１０のキー溝１１ａに対して、筒状ケース３０の所定のキー溝３１ａを整合するように、筒状枠体１０に対して筒状ケース３０をネジ移動させて、筒状ケース３０の回転角度を調整した後、これらのキー溝１１ａ，３１ａにキー５０を挿入することによって、筒状枠体１０に対して筒状ケース３０を回り止めし、筒状枠体１０の下方開口からの、支持脚２０の突出長さが変化しないようにすることができる。また、キー５０をキー溝１１ａ，３１ａから抜き出すことによって、筒状ケース３０が回転可能となるので、筒状枠体１０から支持脚２０を取り外すこともできる。
【００８７】
図１１には、本発明に係る二重床の支持構造の、第４実施形態が示されている。なお、前記実施形態と実質的に同一部分には同符号を付してその説明を省略する。
【００８８】
図１１に示すように、この実施形態においては、弾性脚体４０ｂの外周から、軸方向に伸びる薄肉板状のフィン４５が、同弾性脚体４０ｂの周方向に沿って所定間隔をあけて、放射状に形成されている。これらの複数のフィン４５は、筒状ケース３０の周壁３１の内周面に圧接するようになっている。
【００８９】
そして、この実施形態においては、弾性脚体４０ｂに、複数のフィン４５を設けたことにより、筒状ケース３０に圧入するときに、フィン４５が筒状ケース３０の内周に部分的に当接して、弾性脚体のそれ以外の部分は当接しないため、摩擦抵抗を少なくすることができると共に、弾性脚体４０ｂを回転させながら押し込むことによって、摩擦抵抗をより少なくすることができ、筒状ケース３０内に弾性脚体４０ｂをスムーズに圧入することができる。また、フィン４５とフィン４５との間から、筒状ケース３０内の空気が抜けるので、これによっても、弾性脚体４０ｂをスムーズに圧入することができる。更に、複数のフィン４５が筒状ケース３０の内周に部分的に強固に圧接するので、弾性脚体４０ｂを筒状ケース３０にしっかりと固定することができる。
【００９０】
図１２には、本発明に係る二重床の支持構造の、第５実施形態が示されている。なお、前記実施形態と実質的に同一部分には同符号を付してその説明を省略する。
【００９１】
図１２に示すように、この実施形態においては、弾性脚体４０ｃの外周から、軸方向に伸びる突条をなしたリブ４７が、同弾性脚体４０ｃの周方向に沿って所定間隔をあけて形成されている。これらの複数のリブ４７は、筒状ケース３０の周壁３１の内周面に圧接するようになっている。
【００９２】
そして、この実施形態においては、弾性脚体４０ｃが、複数のリブ４７を介して、筒状ケース３０内に圧入されて取付けられるようになっているので、前記第４実施形態と同様に、筒状ケース３０内に弾性脚体４０ｃをスムーズに圧入することができると共に、同弾性脚体４０ｃを筒状ケース３０にしっかりと固定することができる。
【００９３】
図１３には、本発明に係る二重床の支持構造の、第６実施形態が示されている。なお、前記実施形態と実質的に同一部分には同符号を付してその説明を省略する。
【００９４】
図１３に示すように、この実施形態においては、弾性脚体４０ｄの外周面に、軸方向に沿って凹状に抉るように伸びる凹溝４８が、周方向に沿って均等な間隔をあけて複数個形成されている。
【００９５】
上記のように、弾性脚体４０ｄの外周面に凹溝４０ｄを設けたことによって、筒状ケース３０内に弾性脚体４０ｄを圧入していくときに、凹溝４８により弾性脚体４０ｄの縮み代が確保されて、弾性脚体４０ｄを縮径しやすくして、スムーズに圧入することができ、筒状ケース３０内への弾性脚体４０ｄの圧入作業を容易に行うことができる。
【００９６】
図１４には、本発明に係る二重床の支持構造の、第７実施形態が示されている。なお、前記実施形態と実質的に同一部分には同符号を付してその説明を省略する。
【００９７】
図１４に示すように、この実施形態においては、筒状枠体１０の挿入部１１の内周面であって、周方向に対向する箇所には、同挿入部１１の上端面から下端面に至るまで、その軸方向に沿ってキー溝１１ａ，１１ａが形成されている。
【００９８】
各キー溝１１ａには、キー５１が挿入されるようになっている。このキー５１は、キー溝１１ａに嵌入する略四角柱状をなした本体５２と、該本体５２の一端部に、その軸方向に対して直角に延設され、筒状ケース３０の天壁３３に係止する係止片５３とからなる。また、本体５２の、前記係止片５３の延設方向側の一側面、及び、その反対側の他側面には、本体５２の軸方向に沿って筋状をなした凸部５２ａが複数形成されている（図１４（ａ）参照）。なお、このキー５１は、ゴム材料や樹脂材料等、更には、鉄系合金、ステンレス、アルミニウム合金、チタン合金、銅合金などの金属材料から形成されている。
【００９９】
そして、図１４（ｂ）に示すように、筒状枠体１０の雌ネジ１３に筒状ケース３０の雄ネジ３２を螺着させ、筒状枠体１０の下方開口から弾性脚体４０を任意の長さで突出させ、その状態で、キー５１の本体５２を筒状枠体１０のキー溝１１ａに挿入して、キー５１の係止片５３が筒状ケース３０の天壁３３に係止するまで、押し込む。
【０１００】
すると、キー５１の係止片５３が筒状ケース３０の天壁３３に係止して、キー５１が抜け止め保持されると共に、キー５１の本体５２の一側面の凸部５２ａが、筒状ケース３０の雄ネジ３２の外周面に係合し、かつ、同本体５２の他側面の凸部５２ａが、キー溝１１ａの底面に係合するので、筒状枠体１０に対して、支持脚２０を任意の回転角度で螺着させることができ、使い勝手を向上させることができる。
【０１０１】
なお、例えば、キー５１の係止片５３と、筒状ケース３０の天壁３３との間に、マイナスドライバー等を差し込んで、係止片５３をこじり上げることで、キー溝１１ａからキー５１の本体５２を取り外すことでき、筒状枠体１０に対する支持脚２０の回転角度を調整したり、筒状枠体１０から支持脚２０を取り外したりすることができる。
【０１０２】
図１５〜１７には、本発明に係る二重床の支持構造の、第８実施形態が示されている。
【０１０３】
この実施形態の二重床の支持構造においては、図１５及び図１６に示すように、下地パネル６０の構造、及び、その敷設構造が、前記実施形態と異なっており、それによって、二重床の更なる低床化を達成できるようになっている。
【０１０４】
図１６に示すように、この実施形態における下地パネル６０は、一方向に長く伸びた略長方形状をなしており、２枚の板材が、長手方向及び幅方向にずらして積層されたような構造となっている。
【０１０５】
より詳細に説明すると、この下地パネル６０の長手方向一側部は、厚さ方向の一側（上半部）から第１突出部６１が突出し、厚さ方向の他側（下半部）がへこんで第１へこみ部６２をなしている。また、下地パネル６０の長手方向他側部は、厚さ方向の一側がへこんで第２へこみ部６４をなし、厚さ方向の他側から第２突出部６５が突出している。
【０１０６】
一方、下地パネル６０の幅方向一側部は、厚さ方向の一側から第３突出部６７が突出し、厚さ方向の他側がへこんで第３へこみ部６８をなしている。また、下地パネル６０の幅方向他側部は、厚さ方向の一側がへこんで第４へこみ部７０をなし、厚さ方向の他側から第４突出部７１が突出している。
【０１０７】
そして、支持脚２０を装着した複数の下地パネル６０は、次のようにして敷設される。
【０１０８】
すなわち、図１５及び図１７に示すように、所定の下地パネル６０（以下、「所定パネル６０」）の第１突出部６１を、隣接する他の下地パネル６０（以下、「他パネル６０」）の第２突出部６５の上面に当接させて載置すると共に、所定パネル６０の第３突出部６７を、他パネル６０の第４突出部７１の上面に当接させて載置する。
【０１０９】
上記工程を複数の下地パネル６０について繰り返して行って、図１５及び図１７に示すように、第１突出部６１と第２へこみ部６４との間、第１へこみ部６２と第２突出部６５との間、第３突出部６７と第４へこみ部７０との間、第３へこみ部６８と第４突出部７１との間に、所定の隙間Ｇをそれぞれ空けて配置すると共に、複数の下地パネル６０が互い違いとなるように敷設する。
【０１１０】
そして、図１７に示すように、複数の各下地パネル６０の、重なり合って互いに当接した部分、すなわち、第１突出部６１と第２突出部６５、第３突出部６７と第４突出部７１を、くぎ７５や図示しない接着剤等で接合させることによって、複数の下地パネル６０が互いに連結されて一体化した構造となる。
【０１１１】
このように、この実施形態においては、下地パネル６０の各側部に、第１突出部６１、第２突出部６５、第３突出部６７、第４突出部７１を設けたことによって、隣接する下地パネル６０の側部どうしを接合させて、複数の下地パネル６０を一体化することができる。そのため、下地パネル６０の上方に、パーティクルボードのような床材を載置することなく、直接、フローリング等の仕上材８を載置することができるので、床材の分だけ、床材５を薄くすることができ、二重床の低床化を図ることができる。
【０１１２】
また、この支持構造においては、支持脚２０の構造、すなわち、筒状枠体１０の下方開口からの弾性脚体４０の突出量を調整することによって、下地パネル６０を基礎床１に対して低く保持することができるので、上述した下地パネル６０の構造の低床効果と相俟って、二重床の低床化をより効率的に図ることができる。
【０１１３】
なお、この実施形態においては、下地パネル６０の長手方向一側部を、厚さ方向一側が突出し、厚さ方向他側がへこんだ形状とし、同パネルの長手方向他側部を、厚さ方向一側がへこみ、厚さ方向他側が突出した形状とし、同パネルの幅方向一側部を、厚さ方向一側が突出し、厚さ方向他側がへこんだ形状とし、同パネルの幅方向他側部を、厚さ方向一側がへこみ、厚さ方向他側が突出した形状としたが、この形状に限定されるものではない。すなわち、隣接する下地パネルを並べて配置したときに、隣接する下地パネルの側部どうしが重なり合って、くぎ等によって互いに接合できる部分を有していればよい。
【符号の説明】
【０１１４】
１  基礎床
３  空間部
５  床材
６，６０  下地パネル
７  床パネル
８  仕上材
１０  筒状枠体
１１  挿入部
１１ａ  キー溝
１２  フランジ部
１３  雌ネジ
２０，２０ａ  支持脚
３０  筒状ケース
３１  周壁
３１ａ  キー溝
３２  雄ネジ
３３  天壁
３４  嵌合溝
３５  注入孔
４０，４０ａ，４０ｂ，４０ｃ，４０ｄ  弾性脚体
４１  貫通路
４３  溝部
４５  フィン
４７  リブ
４８  凹溝
５０，５１  キー
５２  本体
５３  係止片
６１  第１突出部
６２  第１へこみ部
６４  第２へこみ部
６５  第２突出部
６７  第３突出部
６８  第３へこみ部
７０  第４へこみ部
７１  第４突出部
７５  くぎ
【図１】
0006692606.tif 000002
【図２】
0006692606.tif 000003
【図３】
0006692606.tif 000004
【図４】
0006692606.tif 000005
【図５】
0006692606.tif 000006
【図６】
0006692606.tif 000007
【図７】
0006692606.tif 000008
【図８】
0006692606.tif 000009
【図９】
0006692606.tif 000010
【図１０】
0006692606.tif 000011
【図１１】
0006692606.tif 000012
【図１２】
0006692606.tif 000013
【図１３】
0006692606.tif 000014
【図１４】
0006692606.tif 000015
【図１５】
0006692606.tif 000016
【図１６】
0006692606.tif 000017
【図１７】
0006692606.tif 000018